(57)【特許請求の範囲】
【請求項１】
機器本体に対して引出しおよび収納自在に設けられているトレーの前面側に発光表示部を設け、該発光表示部によって発光表示を行なうようにした発光表示装置において、
機器本体側に固定配置されている発光源と、
前記トレーが収納されたときに前記発光源からの光を前記発光表示部に導くように前記トレー側に設けられている導光体と、
を具備し、
前記トレーが引出しおよび収納自在になっている前記機器本体の横長の開口を有するフロントパネルが２重構造になっており、外側のフロントパネルに設けられている突部によって内側のフロントパネルの光透過孔を構成する切込みの一部を塞ぐようにしたことを特徴とする発光表示装置。
【請求項２】
前記導光体に一体に発光表示部が設けられていることを特徴とする請求項１に記載の発光表示装置。
【請求項３】
前記発光源からの光を反射して発光表示部に導くために前記導光体に設けられている反射面が複数の反射面に分割されていることを特徴とする請求項１に記載の発光表示装置。
【請求項４】
前記発光表示部は、前記機器本体が演奏する円板状の記録媒体の種類を表示することを特徴とする請求項１に記載の発光表示装置。
【発明の詳細な説明】
【０００１】
【発明の属する技術分野】
本発明は発光表示装置に係り、とくに機器本体に対して引出しおよび収納自在に設けられているトレーの前面側に発光表示部を設け、この発光表示部によって発光表示を行なうようにした発光表示装置に関する。
【０００２】
【従来の技術】
一般にディスクプレーヤは信号を記録している円板状のディスクを引出されたトレー上に載置し、このトレーを機器本体内に収納することによって演奏位置へ移動するようにしている。そして機器本体内においてレーザピックアップ等の読取り手段によって上記円板状記録媒体の表面に記録されている信号を読出して再生するようにしている。
【０００３】
このようなディスクプレーヤにおいて、トレーの前面側の部分には発光表示部が設けられ、これによって信号の読出し状態やあるいはまたディスクの種類等の表示を行なうようにしている。
【０００４】
【発明が解決しようとする課題】
このように発光表示部をトレーの前面側に設け、この発光表示部によって所定の表示を行なうようにしたディスクプレーヤにおいては、トレーの前面側に発光体とプリント基板を取付けなければならず、このめにトレーの前面側の構造が複雑になる欠点がある。また表示用のＬＥＤの取付けがスペース的に困難になりがちであった。
【０００５】
トレーは機器本体に対して引出しおよび収納自在に構成されているために、機器本体側の固定された回路とトレー上のプリント基板に設けられている回路とを電気的に接続する必要がある。このために従来は繰返し使用に耐える屈曲可能な高価なリード線を用い、このようなリード線によってトレーのプリント基板と固定側の回路とを接続するようにしていた。従って高価なリード線による接続を要する欠点がある。
【０００６】
また上記のようにリード線によってトレーが固定側に接続されている構造になっていると、上記のリード線によってトレーに負荷が加わるようになり、このためにトレーの駆動トルクを増加させる必要が生じ、より強力なモータを用いてトレーを移動させなければならないという問題がある。従って高価なモータを採用しなければならないとともに、円滑なトレーの引出しおよび収納動作を阻害する一因にもなっていた。
【０００７】
本発明はこのような問題点に鑑みてなされたものであって、固定側との間に屈曲可能なリード線による接続を行なうことを要せず、しかもトレーの前面側に設けられている発光表示部によって所定の発光表示を行なうようにした発光表示装置を提供することを目的とする。
【０００８】
【課題を解決するための手段】
本発明は、機器本体に対して引出しおよび収納自在に設けられているトレーの前面側に発光表示部を設け、該発光表示部によって発光表示を行なうようにした発光表示装置において、
機器本体側に固定配置されている発光源と、
前記トレーが収納されたときに前記発光源からの光を前記発光表示部に導くように前記トレー側に設けられている導光体と、
を具備し、
前記トレーが引出しおよび収納自在になっている前記機器本体の横長の開口を有するフロントパネルが２重構造になっており、外側のフロントパネルに設けられている突部によって内側のフロントパネルの光透過孔を構成する切込みの一部を塞ぐようにしたことを特徴とする発光表示装置に関するものである。
【０００９】
前記導光体に一体に発光表示部が設けられていてよい。また前記発光源からの光を反射して発光表示部に導くために前記導光体に設けられている反射面が複数の反射面に分割されていてよい。さらにはまた前記発光表示部は、前記機器本体が演奏する円板状の記録媒体の種類を表示するようにしてよい。
【００１０】
【発明の実施の形態】
図１および図２は本発明の一実施の形態に係る発光表示装置を備えたディスクプレーヤを示すものであって、このディスクプレーヤはほぼ矩形のキャビネットを備え、その前面側が図１に示すような横長の矩形のフロントパネル１０から構成されている。フロントパネル１０にはそのほぼ中央部に横長開口１１が形成され、この横長開口１１によって図２に示すトレー１２が引出しおよび収納自在に取付けられている。なおトレー１２の前端側の部分には飾り枠１３が取付けられ（図４参照）、このような飾り枠１３の前面側の部分に３つの発光表示部１４、１５、１６が平行に３段に設けられている。これらの表示部１４、１５、１６はトレー１２上に載置されて演奏位置に移動され、その信号が読出される円板状の記録媒体の種類を表示するためのものである。
【００１１】
上記フロントパネル１０が前面側に取付けられているキャビネット２０は図２に示すようにその内部にメカシャーシ２１を備え、このメカシャーシ２１によって上記トレー１２を引出しおよび収納自在に案内する案内機構を備えている。
【００１２】
キャビネット２０の前面側を閉じている外側のフロントパネル１０の背面側には内側のフロントパネル２２が設けられている。すなわちここでは外側のフロントパネル１０と内側のフロントパネル２２の２重構造になっている。これらのパネル１０、２２の結合構造は図３に示されている。フロントパネル１０の横長開口１１に対応するように内側のフロントパネル２２には横長の凹部２５が設けられるとともに、この凹部２５の底部に開口２６が形成されている。この開口２６は外側のフロントパネル１０の横長開口１１よりもやや小さな寸法になっており、このような開口２６によってトレー１２の引出しおよび収納を可能にしている。
【００１３】
図２および図３に示すように、内側のフロントパネル２２の凹部２５の上縁には光透過孔を形成する切込み２７が形成されるとともに、この切込み２７の前面側の開口部を塞ぐように突部２８が外側のフロントパネル１０の横長開口１１の上縁の部分に背面側に突出するように形成されている。このような突部２８が図２に示すようにフロントパネル２２の切込み２７を前面側から塞ぐことによって光透過孔２７が形成されることになる。
【００１４】
内側のフロントパネル２２には４つの円形孔２９が形成されるとともに、これらの円形孔２９に挿通されるように外側のフロントパネル１０の背面側には円形のボス３０が植設されている。そしてこれらの円形のボス３０の先端部によってプリント基板３３が支持されるようになっている。プリント基板３３はビス挿通孔３４を備え、このビス挿通孔３４を挿通するビス３５が円形のボス３０にねじ込まれ、これによって２重構造のフロントパネル１０、２２の内側にこれらに対して平行にプリント基板３３が支持されるようになっている。
【００１５】
上記プリント基板３３上にはさらに補助プリント基板３８が設けられている。そして補助プリント基板３８上には３つの発光ダイオード４１が図３に示すようにマウントされており、これらの発光ダイオード４１によって発光源を構成するようになっている。
【００１６】
図２および図４に示すように、トレー１２の前面側の飾り枠１３内には導光体４５が配されている。導光体４５は上記３つの発光ダイオード４１からの光を受けるとともに、導光体４５の前面側に一体に設けられている発光表示部１４、１５、１６によって発光表示を行なうためのものである。
【００１７】
発光表示を行なうための発光表示部１４〜１６を備える導光体４５について図５〜図１０によって説明すると、透明なアクリル樹脂から成る導光体４５はその上面側に３つの受光部４６、４７、４８を備えている。これらの受光部４６〜４８は対応する受光アーム４９、５０、５１の先端部に設けられている。また受光アーム４９、５０、５１はそれぞれ受光部４６、４７、４８から入射した光を９０°反射させるための４５度反射面５２、５３、５４をそれぞれ備えている。なお上記受光部４６、４７、４８はそれぞれトレー１２の飾り枠１３の上部に設けられている矩形の開口５６（図４参照）内に挿入されるようになっている。
【００１８】
また上記導光体４５の３つの受光アーム４９、５０、５１の背面側の部分にはそれぞれ４５度反射面５２、５３、５４で反射した光を前方側の発光表示部１４、１５、１６に導くための反射面が設けられている。すなわち受光部４６に対応する受光アーム４９の根元側の部分には反射面６０、６１が設けられ、受光部４７によって入射された光を反射するために受光アーム５０の根元側の部分には反射面６２、６３が設けられている。また受光４８から入射した光を導くために受光アーム５１の根元側の部分には反射面６４、６５が設けられている。
【００１９】
これらの反射面６０〜６５の特徴は、それぞれの受光アーム４９、５０、５１についてそれぞれ分割した反射面としていることである。すなわち発光表示部１４に導くための光は反射面６０、６１によって反射されるようになっており、このときに発光表示部１４の中央部へ導く光を反射面６０によって反射させるとともに、両側の反射面６１によって発光表示部１４の両側へ光を導くようにしている。同様に発光表示部１５に対応して中央の反射面６２と両側の反射面６３とを備えている。また発光表示部１６に対応して中央の反射面６４と両側の反射面６５とをそれぞれ備えるようになっている。
【００２０】
このようにそれぞれの発光表示部１４、１５、１６に対応した反射面を３つに分割することによって、図５、図７、および図９における導光体４５の高さ方向の寸法を薄くすることが可能になり、より小型の導光体４５によって３つの発光表示部１４、１５、１６でより安定に発光表示を行なわせることが可能になる。
【００２１】
次に以上のような構成に係るディスクプレーヤの発光表示装置の動作を説明する。図４に示すトレー１２を引出すとともに、その上部であって円形の凹部に円板状記録媒体を載置する。そしてこのような状態においてトレー１２をフロントパネル１０内に図２に示すように押込む。するとトレー１２が演奏位置へ移動され、このトレー１２上の円板状記録媒体に記録されている信号がレーザピックアップによって読出されることになり、これによって円板状記録媒体の再生が行なわれる。
【００２２】
キャビネット２０内にはトレー１２上に載置された円板状記録媒体の種類を判別する判別手段が設けられており、このような判別手段の検出出力がプリント基板３３上の補助プリント基板３８の発光ダイオード４１の駆動回路に供給される。従って円板状記録媒体と対応する発光ダイオード４１が点灯される。
【００２３】
今３つの発光ダイオード４１の内の真中の発光ダイオード４１が点灯した場合には図２において光１がフロントパネル１０、２２によって形成される光透過孔２７を透過し、図６に示す導光体４５の受光部４６に入射され、４５度反射面５２で反射され、さらに受光アーム４９の背面側の反射面６０、６１で反射されて１番上側の発光表示部１４を光らせる。
【００２４】
これに対して導光体４５の受光部４７と対応する発光ダイオード４１が点灯された場合には、受光部４７からの光が受光アーム５０の４５度反射面５３で反射され、さらに受光アーム５０の背面側の反射面６２、６３で反射され、発光表示部１５が点灯される。また受光部４８と対応する部分の発光ダイオード４１が点灯された場合には、受光部４８から入射した光が受光アーム５１の４５度反射面５４で反射され、さらに受光アーム５１の背面側の反射面６４、６５で反射され、一番下側の発光表示部１６が発光表示を行なうことになる。
【００２５】
従ってトレー１２上に円板状記録媒体を載置し、このトレー１２を収納位置へ移動して再生動作を行なうことにより、そのときの円板状記録媒体の種類をトレー１２の前端側の飾り枠１３に設けられている発光表示部１４〜１６によって表示して知らせることが可能になる。
【００２６】
このように本実施の形態においては、キャビネット２０内にトレー１２を出入れするためのメカシャーシ２１を有し、トレー１２の前面に取付けられている飾り枠１３内に導光体４５を組付けるようにしている。
【００２７】
これに対してキャビネット２０のフロント側には外側のフロントパネル１０と内側のフロントパネル２２とプリント基板３３とをビス３５によって固定するようにしており、発光源を構成する発光ダイオード４１を補助プリント基板３８にマウントして取付けるようにしている。なおトレー１２、メカシャーシ２１、飾り枠１３、フロントパネル１０、２２は何れも合成樹脂の成形品から構成されている。また導光体４５は透明な樹脂を用いた成形品から構成されている。
【００２８】
発光ダイオード４１によって発光された光が導光体４５の例えば受光部４６に入射され、受光アーム４９の４５度反射面５２で９０度方向を変更した後に、さらに背面側の反射面６０、６１によって前方に方向を変えるように反射される。なお反射面６０によって表示部１４の中央部を照らすようになり、反射面６１によって表示部１４の両側を表示することになる。発光表示部１５、１６の表示動作も同様である。
【００２９】
このような発光表示装置の特徴は、ディスクプレーヤにおけるディスクトレー１２の前面側に設けられている発光表示部１４〜１６の表示方法において、発光源を構成する発光ダイオード４１をセット本体側に固定設置するとともに、引出しおよび収納自在に移動されるトレー１２の前面側に取付けられている飾り枠１３内に光透過率が高いプラスチック材料から成る導光体４５を取付けるようにし、このような導光体４５に設けられている反射面を利用して発光表示部１４〜１６を光らせるようにしている。
【００３０】
ここでそれぞれの発光表示部１４、１５、１６について対応する受光アーム４９、５０、５１の背面側にはそれぞれ反射面６０、６１の組、６２、６３の組、および６４、６５の組を設けるようにしている。すなわち導光体４５内に入射した光を前方側であって発光表示部１４〜１６に導くための反射面６０〜６５を３つの面に分割している。これによって導光体４５のトレー１２の移動方向の厚さを薄くすることが可能になり、このような導光体４５の取付けのためのスペースを少なくできるようになる。
【００３１】
またフロント部の構造を外側のフロントパネル１０と内側のフロントパネル２２の２重構造にすることによって、発光ダイオード４１から出てくる光の範囲を限定し、光漏れによる見栄えの劣化を防止するようにしている。すなわち図３に示す外側のフロントパネル１０の横長開口１１のエッジの部分に設けられている突部２８を内側のフロントパネル２２の凹部２５の切込み２７の前面側開口の部分に嵌合させるようにし、これによって光透過孔２７を画成するようにしている。
【００３２】
このような構造によると、内側のフロントパネル２２の切込み２７の一部をフロントパネル１０の突部２８で目隠しすることが可能になるばかりでなく、内側のフロントパネル２２の成形の際における切込み２７を形成する部分の成形時における型抜きが容易になる。
【００３３】
このようなディスクプレーヤによると、トレー１２上には電源を供給することなくしかも発光表示部１４〜１６によってトレー１２の前面側の飾り枠１３上に発光表示を行なうことが可能になる。すなわち可動部を構成するトレー１２の前面側における表示を安価にしかも本体との電気的な接続なしに構成することが可能になる。このためにトレー１２の移動への影響が皆無になり、トレーの移動に要するモータ等の変更が不要になり、高い信頼性が得られることになる。
【００３４】
また他のオーディオ機器やビデオ機器と一緒にセットの中央部に配置されることが多いディスクプレーヤにおいて、そのトレー１２の前面側の飾り枠１３の部分に発光表示部１４〜１６を設置することができることは、セットのフロント部のデザイン上有利になる利点をもたらす。
【００３５】
なお上記実施の形態はディスクプレーヤの発光表示装置に関するものであるが、必ずしもこの発光表示装置はディスクを使用する機器に限定されることがなく、トレーが出入りする機器の総てに適用可能である。
【００３６】
【発明の効果】
以上のように本発明は、機器本体側に固定配置されている発光源と、トレーが収納されたときに発光源からの光を発光表示部に導くようにトレー側に設けられている導光体と、を具備し、トレーが引出しおよび収納自在になっている機器本体の横長の開口を有するフロントパネルが２重構造になっており、外側のフロントパネルに設けられている突部によって内側のフロントパネルの光透過孔を構成する切込みの一部を塞ぐようにした発光表示装置に関するものである。
【００３７】
従って固定配置されている発光源からの光を導光体によってトレーの前面側の発光表示部に導き、この発光表示部によって所定の発光表示を行なうことが可能になる。従ってトレーに電源を供給することなくしかもトレーの前面側で発光表示が行なわれることになる。従ってトレーと固定側との電気的な接続が不要になるとともに、リード線によってトレーの移動のための負荷が増加することがなくなる。
しかも、トレーが引出しおよび収納自在になっている機器本体の横長の開口を有するフロントパネルが２重構造になっており、外側のフロントパネルに設けられている突部によって内側のフロントパネルの光透過孔を構成する切込みの一部を塞ぐようにしているために、切込みの前面側の開口端の部分による光漏れを防止することが可能になり、見栄えの劣化を防止できるようになる。また内側のフロントパネルには光透過孔と対応する切込みを設けておけばよく、このために内側のフロントパネルの成形の型抜きが容易になる。
【００３８】
導光体に一体に発光表示部が設けられている構成によれば、部品点数を少なくして発光表示装置の構造を簡潔にすることが可能になる。
【００３９】
発光源からの光を反射して発光表示部に導くために導光体に設けられている反射面が複数の反射面に分割されている構成によれば、この反射面によって導かれる方向の導光体の厚さ方向の寸法を小さくすることが可能になり、これによってよりコンパクトな導光体によって発光表示装置を構成することが可能になる。
【００４０】
発光表示部が、機器本体が演奏する円板状の記録媒体の種類を表示するようにした構成によれば、演奏している円板状記録媒体の種類をトレーの前面側の発光表示部によって知らせることが可能になる。
【図面の簡単な説明】
【図１】ディスクプレーヤの正面図である。
【図２】図１におけるＡ〜Ａ断面図である。
【図３】フロント部の分解斜視図である。
【図４】トレーの分解斜視図である。
【図５】導光体の平面図である。
【図６】導光体の正面図である。
【図７】導光体の底面図である。
【図８】導光体の背面図である。
【図９】図６におけるＢ〜Ｂ断面図である。
【図１０】導光体の側面図である。
【符号の説明】
１０‥‥フロントパネル（外側）、１１‥‥横長開口、１２‥‥トレー、１３‥‥飾り枠、１４〜１６‥‥発光表示部、２０‥‥キャビネット、２１‥‥メカシャーシ、２２‥‥フロントパネル（内側）、２５‥‥凹部、２６‥‥開口、２７‥‥切込み（光透過孔）、２８‥‥突部、２９‥‥円形孔、３０‥‥円形のボス、３３‥‥プリント基板、３４‥‥ビス挿通孔、３５‥‥ビス、３８‥‥補助プリント基板、４１‥‥発光ダイオード、４５‥‥導光体、４６〜４８‥‥受光部、４９〜５１‥‥受光アーム、５２〜５４‥‥４５度反射面、５６‥‥矩形の開口、６０‥‥反射面（中央）、６１‥‥反射面（両側）、６２‥‥反射面（中央）、６３‥‥反射面（両側）、６４‥‥反射面（中央）、６５‥‥反射面（両側
【図１】
0003744656.tif 000002
【図２】
0003744656.tif 000003
【図３】
0003744656.tif 000004
【図４】
0003744656.tif 000005
【図５】
0003744656.tif 000006
【図６】
0003744656.tif 000007
【図７】
0003744656.tif 000008
【図８】
0003744656.tif 000009
【図９】
0003744656.tif 000010
【図１０】
0003744656.tif 000011